(57)【特許請求の範囲】
【請求項１】
第１表示（３）と第２表示（４）がそれぞれ形成される第１リング（１）と第２リング（２）を有する時計において、
前記第１と第２の表示（３，４）を組み合わせて、時計の文字板に形成された開口（６）を介して、時間又は日にちに関連する数字（５）を表示し、
前記第１と第２のリング（１，２）は、同一の寸法であり、前記第１リング（１）が前記第２リング（２）の上に回転中心をずらして配置され、
前記開口（６）の垂直方向において、前記第１リング（１）の外側エッジと、前記第２リング（２）の内側エッジとが隣接する
ことを特徴とする時計。
【請求項２】
０から９までの１０個の数字（３，４）が、それぞれ前記第１と第２のリング（１，２）に配置され、これにより前記開口（６）内に１００個の時間又は日にち関連数字（５）を表示する
ことを特徴とする請求項１記載の時計。
【請求項３】
前記第１と第２のリング（１，２）が、ストップ・ウォッチ機能付き時計に搭載され、前記時計がストップ・ウォッチとして機能した場合、１／１０秒と、１／１００秒をそれぞれ表す
ことを特徴とする請求項２記載の時計。
【請求項４】
前記第１と第２のリング（１，２）が、通常の時計に搭載され、前記時計が通常の時計として機能した場合、前記第１と第２のリング（１，２）の表示が組み合わされ、日にちを表す
ことを特徴とする請求項２記載の時計。
【請求項５】
前記第１リング（１）は、その内側エッジ（１１）に形成された第１歯列（９）により、回転駆動され、
前記第２リング（２）は、その内側エッジ（８）に形成された第２歯列（１０）により、回転駆動される
ことを特徴とする請求項１記載の時計。
【請求項６】
前記第１歯列（９）は、第１歯車セット（１２）と噛み合い、
前記第１歯車セット（１２）は、第１モータ（１４）により駆動され、
前記第２歯列（１０）は、第２歯車セット（１３）と噛み合い、
前記第２歯車セット（１３）は、第２モータ（１５）により駆動される
ことを特徴とする請求項１記載の時計。
【請求項７】
前記第２リング（２）は、時計の一部を形成する底プレート（１７）に形成されたハウジング（１６）内に収納され、
前記ハウジング（１６）は、前記第２リング（２）の前記外側エッジ（１８）のガイドとして機能する円形の周囲（１９）を有し、
前記第２のリング（２）の第２歯列（１０）上に、第１保持プレート（２０）が配置され、
前記第１保持プレート（２０）の上に、円形スペーサ（２１）が配置され、
前記円形スペーサ（２１）の円形エッジ（２２）は、前記第１の歯列（９）を介して前記第１リング（１）のガイドとして機能し、
前記第１リング（１）の前記第１の歯列（９）の上に、第２保持プレート（２３）が配置され、
前記第１保持プレート（２０）と前記第２保持プレート（２３）と前記円形スペーサ（２１）は、前記底プレート（１７）に、熱シール・リベット（２４，２５）の手段により取り付けられる
ことを特徴とする請求項１記載の時計。
【発明の詳細な説明】
【技術分野】
【０００１】
本発明は、第１表示部と第２表示部がそれぞれ形成された第１リングと第２リングを有する時計に関する。この第１表示部と第２表示部を組み合わせて、大きな開口に時間あるいは日にちに関連した表示を示す。
【背景技術】
【０００２】
大部分の場合、日にちを表す時計は、０−３１の数字を周囲に有する１枚のディスクあるいはリングを具備している。これらの数字は、時計の文字板に形成された開口内に表れる。従って、開口が小さいと、日にち表示は小さくなり見づらくなる。これを改善するために、大きな開口の日付け表示を有する時計を提供する必要がある。これは、１０個の数字が形成された第１表示部と、同じく１０個の数字が形成された第２表示部を有する時計である。
【先行技術文献】
【特許文献】
【０００３】
【特許文献１】ヨーロッパ特許第１１８４７５１Ａ１号明細書
【発明の概要】
【発明が解決しようとする課題】
【０００４】
前記のタイプのシステムは、特許文献１に開示されている。同文献において、インジケータは、異なる寸法のリングであり、一方のリングは他方のリングの内側で同軸に配置されている。その結果、表示は大きな開口に同一レベルで表れる。特許文献１は、日にち又は西暦の下２桁を、これらの表示手段を用いて表示することを提案している。西暦の下２桁の表示は、２個のリングの使用が前提であり、０−９の１０個の数字がそれらに取り付けられる。大きな開口に表れる値は、１００個である。この場合、内側リングの数字は、外側リングの数字に比べると小さくなる。数字の大きさを合わせるために、外側リングの数字のサイズを小さくし、内側リングの数字に合わせることが行われている。
【課題を解決するための手段】
【０００５】
このような欠点は、一方のリングを他方のリングの内側に配置すると、使用される数字の大きさを小さくすることになる。この欠点を解決するために、本明細書の前半に一般的な定義を行い、本発明は、特許請求の範囲に記載されている。第１リングと第２リングは、ほぼ同一の寸法を有し、第１リングが第２リングの上部に配置にされる。第１リングは、第２リングに対し中心から外れており、その結果、大きな開口の垂直方向においては、第１リングの外側エッジは、第２リングの内側エッジと境を成す。
【図面の簡単な説明】
【０００６】
【図１】本発明のディスプレイの上面図で、インジケータ・リンクの配置を表す図。
【図２】図１のディスプレイの底面図。
【図３】図１のディスプレイの分解斜視図。
【図４】本発明の組立ステップを表す図。
【図５】本発明の組立ステップを表す図。
【図６】本発明の組立ステップを表す図。
【図７】本発明の組立ステップを表す図。
【図８】本発明の組立ステップを表す図。
【図９】本発明の組立ステップを表す図。
【図１０】本発明の組立ステップを表す図。
【図１１】本発明の組立ステップを表す図。
【図１２】本発明の組立ステップを表す図。
【図１３】本発明の組立ステップを表す図。
【図１４】本発明の組立ステップを表す図。
【図１５】図１４の上面図。
【図１６】図１５のラインＸＶＩ−ＸＶＩに沿った断面図。
【図１７】図１５のラインＸＶＩＩ−ＸＶＩＩに沿った断面図。
【発明を実施するための形態】
【０００７】
図１において、本発明の時計は、第１と第２のリング１、２を有する。これらのリングは、ワッシャ(washer)のように平坦な形状をしており、それぞれ第１と第２の表示３、４が記載されている。これらの表示は、互いに組み合わされて、時間又は日にち関連数字５が文字板に形成された大きな開口６内に見えるようにする。
【０００８】
特許文献１の大開口のディスプレイと比較すると、本発明のディスプレイは、いくつかの優れたかつ独創性のある配列を有する。
第１の利点として、第１と第２のリング１、２は、ほぼ等しい寸法であり、その結果、１個のリングのみを製造すればよく、そのリングの製造工程が簡単となる。
第２の利点として、第１のリング１は、第２のリング２の上に配置できる。
第３の利点として、第１のリング１は、第２のリング２に対し中心を外して配置され、その結果、図１、３に示すように、大開口６の垂直方向で、第１のリング１の外側エッジ７は、第２のリング２の内側エッジ８に隣接する。
【０００９】
一般的に、リングに形成される表示は、時間（日にち)関連であるが、必ずしもアラビア数字である必要はない。例えば、これらの表示は、アジアの文字のサインでもよい。
【００１０】
本発明の場合、０から９のアラビア数字（即ち第１と第２の表示部３、４）が、第１と第２のリング１、２に形成されている。これらの数字の組み合わせにより、１００個の数字が、大開口６内に表示される。
【００１１】
一方のリングを他方のリングと同軸で内側に配置した場合には、数字のサイズを約１５％大きくできる。
【００１２】
この実施例においては、リングであるディスクが、本発明により形成され配置された場合には、数字の高さは３．３５ｍｍであり、その幅は２．３７ｍｍである。
これに対し、２枚のディスクが、同軸に配置された場合には、数字の高さは２．９５ｍｍであり、その幅は２．０８ｍｍである。
本発明により複数のリングを配置する利点は、明らかである。そしてスペースの要件と数字のサイズの要件が大きくなればなるほど、明らかである。
【００１３】
複数のリングを駆動するには様々な方法がある。一実施例において、第１と第２のリング１、２は、内側エッジ１１、８に形成された第１と第２の歯列９、１０により、それぞれ回転駆動される。機構チェーン（図示せず)は、第１と第２の歯列９、１０を接続し、その結果、第１のリング１は、第２のリング２が、１０ステップ動く毎に１ステップ前進する。図に示すように、第１と第２の歯列９、１０は、それぞれ第１と第２の歯車セット１２、１３と噛み合う。第１と第２の歯車セット１２、１３は、それぞれ第１と第２のモータ１４、１５と噛み合う。
【００１４】
本発明は、様々な時計に適用されるが、その本発明の目的は、２個のリングを用いて、１００個の数字を表示することである。これは、西暦の下２桁を用いて年を表示する場合、あるいはストップ・ウォッチ(chronograph)の１/１０秒と１/１００秒の表示の場合である。
【００１５】
時計がストップ・ウォッチ（chronograph)機能付き時計の場合は、第１と第２のリングは、それぞれ１/１０秒と１/１００秒を表す。時計が通常の時計モードで動作する場合は、日にちあるいは西暦も表示できる。この実施例は、複数のリングの中心を外して配置し、その駆動はある構造（図示せず）に依存する。
【００１６】
図４−１４に示す実施例は、ストップ・ウォッチ（chronograph)機能付き時計の本質的部分を構成する一連のステップを表し、図１６、１７は、図１５のラインＸＶＩ−ＸＶＩとラインＸＶＩＩ−ＸＶＩＩに沿った断面図である。
【００１７】
図４は基本的な時計のモジュールを表す。時間歯車のパイプ３０の上に、時針が取り付けられる。キャノン−ピニオン３１の上に、分針（図示せず)が取り付けられ、両歯車の軸心３２に分針（図示せず)が取り付けられる。これらの指針は、モータ３３により駆動される。そしてスタッド３５、３６により、第１熱シール・ユニット３４を形成する。第２ユニット３７が、第１熱シール・ユニット３４に関連して配置される（図５)。
第２ユニット３７はベース・プレート３８を有する。このベース・プレート３８の上に、ステータ３９、４０が配置される。それらは、開口４１、４２が開けられ、それらの中にロータ４３、４４が収納される（図６)。
図６によれば、コイル４５、４６は、ステータ３９、４０に搭載され、各コイルにコア４７、４８が取り付けられて、第１と第２のモータ１４、１５を形成する。
更にロータ４３、４４にはピニオン４９、５０が取り付けられる。支持部材５１がユニット３４、３７の間の配置される。ユニット３４、３７と支持部材５１は、時計の底部プレート（図示せず）の上に搭載される。第１と第２の歯車セット１２、１３は、それぞれホイール５２、５３とピニオン５４、５５を有し、支持部材５１上に搭載される（図７)。ホイール５２は第１のモータ１５のピニオン４９と噛み合い、ホイール５３は第１のモータ１４のピニオン５０と噛み合う。
図８に示すように、プレート５６は第２ユニット３７の上に配置される。このプレート５６は、ロータ４３、４４から突出した軸真５７、５８のベアリングとして、かつ第１と第２の歯車セット１２、１３の軸真５９，６０のベアリングとして機能する。スタッド６１、６２、６３、６４は、ベース・プレート３８から突出し、このベース・プレート３８は、熱シールにより第２ユニット３７を保持する。
【００１８】
底プレート１７は、本発明により配置された第１と第２のリング１、２を収納し、上記のユニット上に配置される。図９に示すように、ピニオン５４、５５と、時針と分針と秒針を搭載するユニット７０は、底プレート１７から突出する。
第２のリング２は、図９に示すハウジング１６内に配置される。ハウジング１６は、円形周囲１９と第２歯列１０とを有する。この円形周囲１９は、第２のリング２の外側エッジ１８のガイドとして機能する。第２歯列１０は、第２のモータ１５のピニオン５４と噛み合う。(図１０)
【００１９】
図１１において、第１の保持プレート２０は、第２のリング２の第２歯列１０上に配置され、前記第２のリング２を保持する。円形スペーサ２１は、保持プレート２０上に配置される(図１２)。
図１３において、円形スペーサ２１の円形エッジ２２は、第１のリング１の第１歯列９を介して第１のリング１のガイドとして機能し、第１のモータ１４のピニオン５５と噛み合う。
図１４において、第２保持プレート２３は、第１のリング１の第１歯列９の上に配置され、前記リング１を保持する。熱シールされたリベット２４、２５は、第１と第２の保持プレート２０，２３と円形スペーサ２１を、底プレート１７に固定する。底プレート１７から前記リベット２４，２５が突出する。
【００２０】
図４−１４に基づいて本発明の実施例を示した。、図１６、１７の断面図は、図１５の面に沿ってとられたものであり、同一の部品は同一の参照番号を付す。
【００２１】
上記のモータは、ステッピング・モータであり、集積回路により制御され、この集積回路は、プッシュボタンあるいは竜頭により制御される。これに関しては、特許文献１に開示されている。同図において、ステッピング・モータは、ラベット・モータ(Lavet motors)である。他のタイプのモータ、例えば、多極モータ、ピエゾ電子モータの使用も可能である。
【００２２】
以上の説明は、本発明の一実施例に関するもので、この技術分野の当業者であれば、本発明の種々の変形例を考え得るが、それらはいずれも本発明の技術的範囲に包含される。特許請求の範囲の構成要素の後に記載した括弧内の番号は、図面の部品番号に対応し、発明の容易なる理解の為に付したものであり、発明を限定的に解釈するために用いてはならない。また、同一番号でも明細書と特許請求の範囲の部品名は必ずしも同一ではない。これは上記した理由による。用語「又は」に関して、例えば「Ａ又はＢ」は、「Ａのみ」、「Ｂのみ」ならず、「ＡとＢの両方」を選択することも含む。特に記載のない限り、装置又は手段の数は、単数か複数かを問わない。
【符号の説明】
【００２３】
１，２  第１と第２のリング
１  第１リング
２  第２リング
３，４  第１と第２の表示部
３  第１表示部
４  第２表示部
５  時間又は日にち関連数字
６  開口
７  外側エッジ
８  内側エッジ
９，１０  第１と第２の歯列
９  第１歯列
１０  第２歯列
１２，１３  第１と第２の歯車セット
１２  第１歯車セット
１３  第２歯車セット
１４，１５  第１と第２のモータ
１６  ハウジング
１７  底プレート
１８  外側エッジ
１９  円形周囲
２０  第１保持プレート
２１  円形スペーサ
２２  円形エッジ
２３  第２保持プレート
２４，２５  熱シールされたリベット
２０，２３  第１と第２の保持プレート
３０  パイプ
３１  キャノン−ピニオン
３２  軸真
３３  モータ
３４，３７  ユニット
３４  第１熱シール・ユニット
３５，３６  スタッド
３７  第２熱シール・ユニット
３８  ベース・プレート
３９，４０  ステータ
４１，４２  開口
４３，４４  ロータ
４５，４６  コイル
４７，４８  コア
４９，５０  ピニオン
５２，５３  ホイール
５４，５５  ピニオン
５１  支持部材
５６  プレート
５７，５８  軸真
５９，６０  軸真
６１，６２，６３，６４  スタッド
７０  ユニット
【図１】
0005453364.tif 000002
【図２】
0005453364.tif 000003
【図３】
0005453364.tif 000004
【図４】
0005453364.tif 000005
【図５】
0005453364.tif 000006
【図６】
0005453364.tif 000007
【図７】
0005453364.tif 000008
【図８】
0005453364.tif 000009
【図９】
0005453364.tif 000010
【図１０】
0005453364.tif 000011
【図１１】
0005453364.tif 000012
【図１２】
0005453364.tif 000013
【図１３】
0005453364.tif 000014
【図１４】
0005453364.tif 000015
【図１５】
0005453364.tif 000016
【図１６】
0005453364.tif 000017
【図１７】
0005453364.tif 000018